(57)【要約】      （修正有）【課題】給料を手にした者を出来るだけ速やかに消費に向かわせるべく広告を提示する場所を給与袋上に設けた広告付き給与袋を提供する。【解決手段】袋体１０とそのフラップ１１とから成る給与袋１に於いて、前記袋体の表面または裏面に広告が印刷された広告部２を備える。給与袋の袋体の部分に金の使い先の提案を行う広告部があることによって、消費が促されると言う効果を奏する。なお広告部の周りを取り囲むようにして切り取り用の案内線を印刷したり、素手で裂くためのミシン目１２を刻設するようにしても良い。広告部にバーコード部を設けるようにしても良い。また袋体内部にはフライヤーなどのチラシを入れることも可能である。【選択図】図１
0003177044.tif 000002
【実用新案登録請求の範囲】
【請求項１】
袋体とそのフラップとから成る給与袋に於いて、前記袋体の表面または裏面に広告が印刷された広告部を有することを特徴とする、広告付き給与袋。
【請求項２】
前記広告部の周りを取り囲むようにして切り取り用の案内線が印刷されている、請求項１に記載の広告付き給与袋。
【請求項３】
前記広告部の周りを取り囲むようにして素手で裂くためのミシン目が刻設されている、請求項１に記載の広告付き給与袋。
【請求項４】
携帯電話などの携帯端末に設けられたカメラで読み取りが可能であると共に、インターネットのＵＲＬがコード化されて印刷された、バーコード部を有している請求項１に記載の広告付き給与袋。
【請求項５】
更に前記袋体の内部に、広告が印刷されたフライヤーなどのチラシを入れて成る、請求項１に記載の広告付き給与袋。
【考案の詳細な説明】
【技術分野】
【０００１】  本考案は、内需拡大と言うような経済活動の活性化のために、給料を手にした者を出来るだけ速やかに消費に向かわせるべく広告を提示する場所を給与袋上に設けたことを特徴とする、広告付き給与袋に関する。
【背景技術】
【０００２】  景気向上のために内需拡大が叫ばれるも一向に上向いて来ないのが現状である。これには給与所得者への給料の支払いが給与袋による手渡しから銀行振り込みへと変わったことが一因であるとの有力な説がある。確かに手元に給与袋があれば、貯金を下ろすためにわざわざ銀行に足を運ぶと言うような面倒はないし、手元にあるものを開いて金を使うのにそれほどの抵抗感はない。【０００３】  給料日の前後には企業の宣伝活動がいっそう盛んになる。新聞にはたくさんの折り込みチラシが入るようになる。またフライヤーやポケットティッシュと言った販促品の配布が鉄道の駅前などで活発に行われている。
【先行技術文献】
【特許文献】
【０００４】
【特許文献１】特開平０８−０２２２４９号
【考案の概要】
【考案が解決しようとする課題】
【０００５】  そこで先ず給与袋による支払いを受けている給与所得者から消費を活発にしてもらおうと考えた。手元に給与袋があるのであるから、適正適切な誘導によって消費を促し、これを消費の呼び水とし、以て内需を拡大しようと思考したのである。従って本考案の課題は上述したような問題を解決することにある。
【課題を解決するための手段】
【０００６】  上記課題は、袋体とそのフラップとから成る給与袋に於いて、前記袋体の表面または裏面に広告が印刷された広告部を有することを特徴とする、広告付き給与袋を提供することによって解決する。給与袋は袋体の内部に金を納めてフラップにより封をすることが出来るようになっている。安全のために密封する場合がある。開封時にフラップの部分は破り取られることが多い。袋体の部分の面積は十分に大きく広告部を設けるのには極めて都合が良い。ちなみに特開平０８−０２２２４９号は郵便封筒よりも小さく広告面積が少ない広告付郵便切手の発明である。【０００７】  本発明の給与袋は袋体の表裏面の何れか一方にあるいは双方に広告が印刷された広告部を有している。この広告は消費を促す内容であれば良い。給料を給与袋で受け取った給与所得者は、先ず広告に目が行き刺激され、その時点で消費意欲が向上する。而して給与袋を開封しさえすれば、直ぐにサービスの提供を受けたりショッピングをしたりすることが出来るのである。このようにある種、金の使い先の提案を行う広告部があることによって消費が促され、経済活動が活性化して内需拡大に繋がって行くことになるのであるから、本発明の広告部を有する給与袋はまことに合理的なものであると言うことが出来る。【０００８】  次に、本発明を前記広告部の周りを取り囲むようにして切り取り用の案内線が印刷されている広告付き給与袋とすることが出来る。広告には店舗の住所や電話番号が記載されているのが一般的である。従ってハサミなどを用いて切り取り用の案内線に沿って切り離せば、メモ代わりに用いることが出来るし、広告部をサービス券などとして使用することも可能である。【０００９】  また、前記広告部の周りを取り囲むようにして素手で裂くためのミシン目が刻設されている広告付き給与袋とすることが出来る。これは上述した案内線が印刷されたものと同様の作用効果があるが、ミシン目があるためにハサミなどを使用することなく手で破れる点でより便利なものとなっている。【００１０】  さて、本発明を携帯電話などの携帯端末に設けられたカメラで読み取りが可能であると共に、インターネットのＵＲＬがコード化されて印刷された、バーコード部を有している広告付き給与袋とすることが出来る。すなわちバーコード部を有する広告付き給与袋と、このバーコードを読み取ってデコードし、この結果のＵＲＬを用いてアクセスすることが可能な携帯端末と、この携帯端末からアクセスされた場合にこのＵＲＬに対応する情報を携帯端末に送信する情報サーバと、から構成された広告付き給与袋を介する広告システムを提供することが出来る。なおＵＲＬはＵｎｉｆｏｒｍ  Ｒｅｓｏｕｒｃｅ  Ｌｏｃａｔｏｒの略称である。一般的に上記バーコードには２次元バーコードやＱＲコード（登録商標）が使用される。【００１１】  この広告システムによれば、情報サーバに例えばＷＷＷ（Ｗｏｒｌｄ  Ｗｉｄｅ  Ｗｅｂ）サーバの役割を持たせて、このＷＷＷにサーバより広告主の所謂ホームページを携帯端末に送信して、広告主に係るさらに詳しい情報を見てもらうことが出来る。この情報には静止画や音声や動画を含めることが可能である。特に動画を利用すれば、例えば美容院などのように手業をサ���ビスとして提供する店舗では施術の様子や店内の雰囲気を顧客に伝えることが容易な、言わば動の広告となる。大きな動画の一部であるサンプル動画のようなものを提供することも広告の一助となる。またＡＲ（Ａｕｇｍｅｎｔｅｄ  Ｒｅａｌｉｔｙ）などのＶＲ（Ｖｉｒｔｕａｌ  Ｒｅａｌｉｔｙ）のシステムを構築することが可能である。あるいは人材募集情報やプレゼント案内と言った幅広い情報を提供することが出来る。これ等のサービスのために会員登録の機能を持たせる場合も十分あり得る。またＳＮＳ（Ｓｏｃｉａｌ  Ｎｅｔｗｏｒｋｉｎｇ  Ｓｅｒｖｉｃｅ）等のＢＢＳ（Ｂｕｌｌｅｔｉｎ  Ｂｏａｒｄ  Ｓｙｓｔｅｍ）を情報サーバ側で運用することが可能である。この他にも、特定の商店街で利用可能なポイントを付与するサービスを用意するなどして、本発明の広告付き給与袋を中心に完結するシステムを自由に構築して良い。【００１２】  次に、更に前記袋体の内部に、広告が印刷されたフライヤーなどのチラシを入れて成る広告付き給与袋とすることが出来る。本発明の給与袋を開けて現金を取り出す際にチラシによる広告が一緒に取り出されるため、この時点で金の使い先の提案を行うことが出来、十分な効果を上げることが可能である。
【考案の効果】
【００１３】  本考案によれば、給与袋の袋体の部分に金の使い先の提案を行う広告部があることによって消費が促されると言う効果を奏する。またこれが消費の呼び水となり経済活動が活性化して内需拡大に繋がるであろうことは間違いない。
【図面の簡単な説明】
【００１４】
【図１】  実施例１の給与袋を正面視した説明図である。
【図２】  実施例２の給与袋を背面視した説明図である。
【図３】  実施例３の給与袋を正面視した説明図である。
【図４】  この給与袋３５を広告システムに組み込んだ説明図である。
【図５】  実施例４の広告システムの説明図である。
【図６】  このスマートフォン６４の表示画面の説明図である。
【考案を実施するための形態】
【実施例１】
【００１５】  図１はこの実施例の袋体１０とフラップ１１とから成る広告付き給与袋１である。袋体１０の表面下部に広告部２が設けられており、この広告部２を取り囲むようにして、素手で広告部２を裂いて取るためのミシン目１２が刻設されている。袋体１０に現金を入れた後でフラップ１１を裏面へ折り返して封をする。【００１６】  この広告付き給与袋１で給料を受け取った人は、今まさに現金を手にしているわけであるが、この時に広告部２の広告が目に飛び込んでくることになる。こうして消費マインドが刺激され、給与袋１を開封しさえすれば直ぐにサービスの提供を受けたりショッピングをしたりすることが出来るのである。なお広告部２はミシン目１２で千切って袋体１０から切り離すことになるが、この千切る行為そのものが給与袋を開封して消費行動を取ろうと言う積極的な意思の表れであると見ることが出来る。
【実施例２】
【００１７】  図２はこの実施例の袋体３０とフラップ３３とから成る広告付き給与袋３を背面視したものであり、右端部で折り返され左端と下端ののりしろ片３１，３２とに接着されて袋体３０が形成されている。この袋体３０の表面下部には実施例１と同様に広告部が設けられているが、実施例２では更に裏面の２箇所にも広告部４，４が設けられている。また上記フラップ３３にも広告部４０がある。この内、図示しない表面下部の広告部と、裏面の２箇所の広告部４，４とには、これ等を取り囲むようにして切り取り用の案内線３４が印刷されている。【００１８】  広告部４，４０等が複数箇所に及ぶため、より効果的にまたより多くの広告を提示することが出来る。なお広告部４，４等はハサミを用いるなどして切り取り用の案内線３４に沿って切り離すことが可能である。
【実施例３】
【００１９】  図３および図４でこの実施例の広告付き給与袋３５を説明する。このものは袋体３６とフラップ３７とから成り、袋体３６の表面下部に広告部２０が設けられており、この広告部２０を取り囲むようにして切り取り用の案内線３８が印刷されている。更に上記広告部２０の右下隅に、インターネットのＵＲＬがコード化されたＱＲコード（登録商標）２１が印刷されている。なおこのＱＲコード（登録商標）２１は広告部２０の外に印刷しても良い。【００２０】  広告部２０の効果は上述した他の実施例と同様であるが、ＱＲコード（登録商標）２１がある点で異なっている。すなわち本給与袋３５の広告部２０のＱＲコード（登録商標）２１を、携帯電話５０に備わっているカメラを用いたコード読み取り機能で読み取って、これをデコードしてＵＲＬを取得し、このＵＲＬを以て携帯電話５０に備わっているインターネット接続機能によりＷＷＷサーバ５にアクセスし、ＷＷＷサーバ５から所謂ホームページ（ＨＴＭＬ文書）を取得して、携帯電話５０の表示画面５１のＷＷＷブラウザ上に表示することが出来る。従ってＷＷＷサーバ５には広告部２０の広告に関連するより詳細な情報を用意しておくなどすれば良い。
【実施例４】
【００２１】  図５および図６でこの実施例の広告システム、およびスマートフォン６４の表示画面を説明する。広告付き給与袋３５は図５に於いて一点鎖線で表したようにこの広告システムに含まれる。【００２２】  すなわちこの広告システムは、ＱＲコード（登録商標）２１が印刷された広告付き給与袋３５と、このＱＲコード（登録商標）２１を読み取ってデコードし、この結果のＵＲＬを用いてアクセスすることが可能なスマートフォン６４と、このスマートフォン６４からアクセスされた時に、この会員が所望する情報をスマートフォン６４に送信するサーバ部６とから構成されるシステムである。なおスマートフォン６４とサーバ部６とはインターネットで接続される。【００２３】  スマートフォン６４ではカメラ６７が給与袋３５のＱＲコード（登録商標）２１を読み取り、制御部６５がこれをデコードして、通信部６６を介してサーバ部６の通信部６１にアクセスする。サーバ部６側では先ず認証部６２がこのスマートフォン６４に固有の電話番号の登録があるか否かを記憶部６３に記録された会員データベースにアクセスして判定し、登録ユーザーであることが判明したならば、通信部６１とスマートフォン６４の通信部６６との間で通信して所定のサービスを提供することになる。この実施例に於けるサービスとは、記憶部６３から読み出した衣類のカタログをスマートフォン６４側に提示し、スマートフォン６４側でユーザーによって選択された衣類を、制御部６５が記憶部６３に登録されている会員のユーザー画像に着せ替えて、再びスマートフォン６４側に提示すると言うものであり、これ等の画像はスマートフォン６４の表示部６８に送信され表示画面６９に表示される。これは一種のＶＲ（Ｖｉｒｔｕａｌ  Ｒｅａｌｉｔｙ）によるオンラインショッピングサービスであり、サーバ部６はショッピングカートの仕組みを備えている。
【産業上の利用可能性】
【００２４】  本考案の広告付き給与袋は、消費履歴からその利用者のインタレストや規則性等を推測して、関連性の高い広告や適時の広告を広告部に印刷するような、ターゲッティング広告システムとして提供することが可能である。
【符号の説明】
【００２５】  １  ：給与袋                  １０：袋体            １１：フラップ
１２：ミシン目                ２  ：広告部          ２０：広告部
２１：ＱＲコード（登録商標）  ３  ：給与袋          ３０：袋体
３１：のりしろ片              ３２：のりしろ片      ３３：フラップ
３４：切り取り案内線          ３５：給与袋          ３６：袋体
３７：フラップ                ３８：切り取り案内線  ４  ：広告部
４０：広告部                  ５  ：ＷＷＷサーバ    ５０：携帯電話
５１：表示画面                ６  ：サーバ部        ６０：制御部
６１：通信部                  ６２：認証部          ６３：記憶部
６４：スマートフォン          ６５：制御部          ６６：通信部
６７：カメラ                  ６８：表示部          ６９：表示画面
【図１】
0003177044.tif 000003
【図２】
0003177044.tif 000004
【図３】
0003177044.tif 000005
【図４】
0003177044.tif 000006
【図５】
0003177044.tif 000007
【図６】
0003177044.tif 000008